(57)【特許請求の範囲】
【請求項１】
複数のプログラムが動作可能で、各プログラム毎に動作時に処理の対象とする情報の記録形式がそれぞれ予め定められる情報処理装置であって、
複数の情報を記録可能な記録媒体が着脱可能で、装着時に記録媒体に記録されている情報を読出すことが可能な媒体装着手段と、
媒体装着手段への記録媒体の装着に応答して、予め定める順序条件に従って記録媒体に記録されている第１の情報を読出し、該情報の記録形式を処理の対象とするプログラムを選択的に起動して該情報の処理を行わせ、該記録媒体から第２以下の情報を読出す際には、該プログラムが処理の対象とする記録形式で記録されている情報を、該順序条件に従って順次読出させるように制御する制御手段とを含むことを特徴とする情報処理装置。
【請求項２】
前記順序条件に従って前記各情報を、記録媒体から読出すためのデータが記憶されているデータ記憶手段を含むことを特徴とする請求項１記載の情報処理装置。
【請求項３】
前記データ記憶手段には、前記情報が記録された時期についてのデータが記憶され、
前記制御手段は、前記順序条件として該記録媒体に情報を記録する時期の新旧に従い、該記録媒体に最後に記録された情報を前記第１の情報として読出すように制御し、該情報の記録形式を処理の対象とするプログラムを起動することを特徴とする請求項２記載の情報処理装置。
【請求項４】
前記データ記憶手段には、前記情報が処理の対象となって使用された時期についてのデータが記憶され、
前記制御手段は、前記順序条件として該記録媒体に記録されている情報が使用された時期の新旧に従い、該記録媒体で最後に使用された情報を前記第１の情報として読出すように制御し、該情報の記録形式を処理の対象とするプログラムを起動することを特徴とする請求項２記載の情報処理装置。
【請求項５】
前記データ記憶手段には、前記情報が処理の対象となって使用された回数についてのデータが記憶され、
前記制御手段は、前記順序条件として該記録媒体に記録されている情報が使用された回数の多少に従い、該記録媒体で最も使用回数の多い情報を前記第１の情報として読出すように制御し、該情報の記録形式を処理の対象とするプログラムを起動することを特徴とする請求項２記載の情報処理装置。
【請求項６】
前記データ記憶手段には、前記情報が処理の対象となって使用された回数についてのデータが記憶され、
前記制御手段は、前記順序条件として該記録媒体に記録されている情報が使用された回数を記録形式毎に集計した結果の多少に従い、該記録媒体で最も使用回数の多い記録形式の情報のうち、予め定める基準で選択される情報を前記第１の情報として読出すように制御し、該情報の記録形式を処理の対象とするプログラムを起動することを特徴とする請求項２記載の情報処理装置。
【請求項７】
前記予め定める基準は、記録された時期の新旧であることを特徴とする
請求項６記載の情報処理装置。
【請求項８】
前記記録媒体には、複数のプログラムが共通に処理の対象とする記録形式の情報が記録され、
該記録形式の情報を処理の対象とするプログラムについて、各プログラム毎に処理の対象とした回数を記録する回数記憶手段をさらに含み、
前記制御手段は、前記第１の情報として記録媒体から読出す情報が複数のプログラムによって共通に処理の対象とする記録形式であるとき前記回数記憶手段に記憶されている回数の最も多いプログラムを起動するように制御することを特徴とする請求項２〜７のいずれかに記載の情報処理装置。
【請求項９】
前記記録媒体は、メモリカードであり、
前記データ記憶手段は、該記録媒体に設けられることを特徴とする請求項２〜８のいずれかに記載の情報処理装置。
【請求項１０】
コンピュータを、請求項１〜９のいずれかに記載の情報処理装置として機能させるためのプログラム。
【発明の詳細な説明】
【０００１】
【発明の属する技術分野】
本発明は、メモリカードなどの記録媒体が着脱可能な情報処理装置に関する。
【０００２】
【従来の技術】
従来から、音楽や画像など、再生の対象となるデータや、各種コンピュータプログラムなどで処理の対象となるデータは、記録媒体に記録された状態で情報処理装置に入力されることが多い。音楽や画像などを記録する記録媒体としては、ＣＤ（Compact Disc）やＤＶＤ（Digital Versatile Disc）などの光ディスクが多く使用されている。ＣＤ−Ｒ、ＣＤ−ＲＷ、ＤＶＤ−Ｒ、ＤＶＤ−ＲＷ、ＤＶＤ−ＲＡＭなど、ユーザがデータを書込み可能な光ディスクも使用されている。ＰＣＭＣＩＡ（Personal Computer Memory Card International Association）、メモリスティック、ＳＤ（Secure Digital）カードなどの半導体メモリを使用するメモリカードも、大容量化と低価格化が進み、ディスク状記録媒体のようなドライブ装置が不要であることから、広く使用されるようになってきている。これらの記録媒体に記録されている情報を再生したりして処理する際には、一般に記録媒体中での記録アドレス順に情報が処理されるようになっている。
【０００３】
メモリカードを使用するユーザの便宜を図るために、たとえば特開平６−３０９５１５号公報には、画像、音声、文字の記憶媒体としてＩＣメモリカードを使用し、ＩＣメモリカード上に画像や音声等を再生する順序や再生回数、再生時間等を指示するコマンドやデータをコマンドファイルとして記憶しておく先行技術が開示されている。ＩＣメモリカードを挿入すると、コマンドファイルに従って画像等の再生が行われる。一般的なコンピュータでも、バッチファイル、スクリプトファイル、マクロファイルなどでコマンドを予め作成し、作成されたコマンドに従って情報の処理や再生を行うことが広く行われている。
【０００４】
光ディスクなどの記録媒体を使用するユーザの便宜を図るために、たとえば特開平６−１０３７３７号公報には、オーディオデータの時系列的な再生を、ＴＯＣ（Table Of Contents）エリアの日時情報に従って行う先行技術が開示されている。特開平１０−２４３３５４号公報には、動画像を再生する際に、プレイバックや逆転再生の機能として、最後にバッファメモリに書込んだデータから順に転送処理する先行技術が開示されている。
【０００５】
記録媒体に記録されている複数の情報の処理順序について、特開平２−１３９７８３号公報には、記録されている順番に再生することを指定するプレイキーと、ランダムな順番で再生することを指定するランダムプレイキーとに加え、再生頻度に従って曲を選択して再生する頻度プレイキーを設ける先行技術が開示されている。本件出願人は、特開平４−３５１７７７号公報で、各光ディスク毎に再生した曲の再生回数を記憶しておき、再生頻度の高い曲を優先的に再生する先行技術を開示している。特開平１０−２３４００２号公報には、ランダムアクセス可能な記録媒体上に記録されている画像音声情報を、記録順に再生したり、予めプログラムされた順序で再生したりすることを可能にする先行技術が開示されている。
【０００６】
記録媒体に複数種類のデータ記録形式が存在する場合は、ユーザはその選択や指定を行う手間がかかる。特開平１１−２１３５６０号公報には、論理フォーマットが複数種類存在しうる光カードの読み取りを、まず前回読みとった光カードと同じ形式で試み、正常に読取りできない場合に他の形式に変更し、ユーザの負担を軽減する先行技術が開示されている。特開平１０−４９９７４号公報には、過去に再生した光ディスクの再生履歴を不揮発メモリ等に記録しておき、装置の立ち上げ時に前回と同じ光ディスクの種類や物理フォーマットに初期再生モードを設定したり、最も再生頻度が高い再生モードに設定したりする先行技術が開示されている。特開昭６０−５５５８１号公報には、車載用ＤＡＤ再生装置に、再生を行った光ディスク毎に、記録されている曲の再生回数を記憶しておき、次にその光ディスクを再生するときには、再生回数の大きい順序で再生する先行技術が開示されている。特開平７−１０４７７３号公報には、カラオケ設備で利用する記録媒体に、利用者が過去において選曲した曲名等の情報を記憶させ、利用者が選曲する画面表示の際に、利用頻度が高い曲名を優先的に表示する先行技術が開示されている。
【０００７】
記録媒体の利用方法についても、種々の提案がなされている。特開２０００−１９５２３４号公報には、複数の情報が記録されている記録媒体から、再生する情報をランダムに選択して面白味がある再生動作を実現しようとする先行技術が開示されている。特開平１０−３７７８号公報には、ＭＤ（Mini Disc）に記録されている情報を連続的に再生する際に、情報を実際に消去しないでも、再生の対象からは除外し、必要に応じて再生の対象に戻すことも可能な先行技術が開示されている。特開平１１−７７００号公報には、追記型光ディスクであるＣＤ−Ｒでデータの消去処理が管理データのみに対して行われることを利用し、消去後も復帰可能なゴミ箱フォルダを設ける先行技術が開示されている。特開平７−１９２４３６号公報には、ＭＤで情報の管理を行うＵＴＯＣへの変更を、ＭＤが離脱するまでは行わないでおき、ＵＴＯＣの変更を伴う編集処理の結果を、取り消し可能にする先行技術が開示されている。
【０００８】
記録媒体に記録されている情報の処理方法を、来歴カードに来歴データとして記憶しておき、次に情報を処理する際には来歴カードの来歴データを読出して、最近処理の対象となった情報や、処理頻度の高い情報を、利用者が選択しやすいようにする考え方が、特開平８−３１１５０号公報に、カラオケ装置に関して開示されている。本件出願人は、特開平１０−１６６９５６号公報で、車載オーディオ機器などの動作状態の設定を、自動車のキーレスエントリシステムで用いるＩＤコードに対応して行う先行技術を提案している。
【０００９】
特開平９−１２８８７９号公報には、オーディオＣＤ、ビデオＣＤ、フォトＣＤ等の記録フォーマットが異なる複数種類の記録媒体を再生可能な装置で、前回利用された記録フォーマットの識別プログラムを優先して実行し、以下、使用頻度に従う順序で識別プログラムを実行する先行技術が開示されている。特開２０００−２０２８８号公報には、パーソナルコンピュータなどにＣＤ−ＲＯＭなどの記録媒体を装着した状態で立ち上げると、記録媒体にブート可能なプログラムが記録されていればそのプログラムを実行し、データが再生可能な形式で記録されていればそのデータを再生するプログラムを起動する先行技術が開示されている。
【００１０】
【発明が解決しようとする課題】
従来から、音楽ＣＤやＭＤのみを使用するオーディオ機器などでは、前述のように、記録媒体を装着すれば自動的に記録順に曲の再生が行われる。ランダムモードを指定すれば、プログラム順、あるいはランダムな順序で曲の再生が行われる。また、装置側で記録媒体毎の再生履歴を管理し、再生頻度が高い曲や最後に再生した曲などを優先して選択可能にする構成も提案されている。
【００１１】
近年、光ディスクなどの記録媒体は大容量化し、多くの情報を記録可能になってきている。また、車載用などの機器では、設置場所に制約があるので、１つの装置でオーディオ再生、画像再生、ナビゲーションなど、多種の機能を実現することが可能になってきている。光ディスクの場合、ＣＤとＤＶＤとは、物理的な形状は同一である。またこれらには、音声、画像、データ、プログラムなどの多様な情報を記録可能であり、ユーザが自分で情報を記録可能な記録媒体も使用されるようになってきている。
【００１２】
記録媒体としてメモリカードを使用する場合は、カードを情報処理装置に挿入した後で、カードの記録内容を表示させる。ユーザが自分で処理する対象となる情報と、その情報を処理するためのアプリケーションプログラムとを選択してから、選択されたアプリケーションプログラムでの処理が開始される。したがって、メモリカードを挿入しただけでは、記録されている情報を再生することができず、また情報に適合したアプリケーションプログラムを選択しなければならないという負担がある。
【００１３】
本発明の目的は、記録媒体を装着すれば、起動するアプリケーションプログラムやデータの選択について、自動的にユーザの便宜を図ることができる情報処理装置を提供することである。
【００１４】
【課題を解決するための手段】
本発明は、複数のプログラムが動作可能で、各プログラム毎に動作時に処理の対象とする情報の記録形式がそれぞれ予め定められる情報処理装置であって、
複数の情報を記録可能な記録媒体が着脱可能で、装着時に記録媒体に記録されている情報を読出すことが可能な媒体装着手段と、
媒体装着手段への記録媒体の装着に応答して、予め定める順序条件に従って記録媒体に記録されている第１の情報を読出し、該情報の記録形式を処理の対象とするプログラムを選択的に起動して該情報の処理を行わせ、該記録媒体から第２以下の情報を読出す際には、該プログラムが処理の対象とする記録形式で記録されている情報を、該順序条件に従って順次読出させるように制御する制御手段とを含むことを特徴とする情報処理装置である。
また本発明は、前記順序条件に従って前記各情報を、記録媒体から読出すためのデータが記憶されているデータ記憶手段を含むことを特徴とする。
【００１５】
本発明に従えば、情報処理装置では、媒体装着手段に複数の情報を記録可能な記録媒体が着脱可能であり、装着時には記録媒体に記録されている情報を読出すことが可能である。記録媒体には、複数の記録形式で複数の情報を記録可能である。制御手段は、媒体装着手段への記録媒体の装着に応答して、予め定める順序条件に従って記録媒体に記録されている第１の情報を読出し、情報の記録形式を処理の対象とするプログラムを選択的に起動して情報の処理を行わせる。記録媒体から第２以下の情報を読出す際には、プログラムが処理の対象とする記録形式で記録されている情報を、順序条件に従って順次読出させるように制御する。順序条件に従って記録媒体から情報を読出すためのデータはデータ記憶手段に記憶されているので、記録媒体からの情報の読出しを自動的に行うことができ、第１の情報に従ってその処理を行うプログラムも選択されるので、ユーザは記録媒体を媒体装着手段に装着するだけで、記録されている情報の処理を自動的に行わせることができる。
【００１６】
また本発明で、前記データ記憶手段には、前記情報が記録された時期についてのデータが記憶され、
前記制御手段は、前記順序条件として該記録媒体に情報を記録する時期の新旧に従い、該記録媒体に最後に記録された情報を前記第１の情報として読出すように制御し、該情報の記録形式を処理の対象とするプログラムを起動することを特徴とする。
【００１７】
本発明に従えば、ユーザが記録媒体を媒体装着手段に装着すると、記録媒体に記録されている時期が最も新しいものから順次処理の対象となるので、前回記録した情報から優先的に処理させることができる。
【００１８】
また本発明で、前記データ記憶手段には、前記情報が処理の対象となって使用された時期についてのデータが記憶され、
前記制御手段は、前記順序条件として該記録媒体に記録されている情報が使用された時期の新旧に従い、該記録媒体で最後に使用された情報を前記第１の情報として読出すように制御し、該情報の記録形式を処理の対象とするプログラムを起動することを特徴とする。
【００１９】
本発明に従えば、ユーザが記録媒体を媒体装着手段に装着すると、記録媒体に記録されている情報が最も新しく使用されたものから順次処理の対象となるので、前回使用した情報から優先的に処理させることができる。
【００２０】
また本発明で、前記データ記憶手段には、前記情報が処理の対象となって使用された回数についてのデータが記憶され、
前記制御手段は、前記順序条件として該記録媒体に記録されている情報が使用された回数の多少に従い、該記録媒体で最も使用回数の多い情報を前記第１の情報として読出すように制御し、該情報の記録形式を処理の対象とするプログラムを起動することを特徴とする。
【００２１】
本発明に従えば、ユーザが記録媒体を媒体装着手段に装着すると、記録媒体に記録されている情報で最も多く使用されたものから順次処理の対象となるので、使用する頻度の高い情報から優先的に処理させることができる。
【００２２】
また本発明で、前記データ記憶手段には、前記情報が処理の対象となって使用された回数についてのデータが記憶され、
前記制御手段は、前記順序条件として該記録媒体に記録されている情報が使用された回数を記録形式毎に集計した結果の多少に従い、該記録媒体で最も使用回数の多い記録形式の情報のうち、予め定める基準で選択される情報を前記第１の情報として読出すように制御し、該情報の記録形式を処理の対象とするプログラムを起動することを特徴とする。
【００２３】
本発明に従えば、ユーザが記録媒体を媒体装着手段に装着すると、記録媒体に記録されている情報で最も多く使用された記録形式のものから、予め定める基準に従って順次処理の対象となるので、使用する頻度の高い記録形式の情報から優先的に処理させることができる。
【００２４】
また本発明で、前記予め定める基準は、記録された時期の新旧であることを特徴とする。
【００２５】
本発明に従えば、ユーザが記録媒体を媒体装着手段に装着すると、記録媒体に記録されている情報で最も多く使用された記録形式で記録された時期の新しいものから順次処理の対象となるので、使用する頻度の高い記録形式で最新に記録された情報から優先的に処理させることができる。
【００２６】
また本発明で、前記記録媒体には、複数のプログラムが共通に処理の対象とする記録形式の情報が記録され、
該記録形式の情報を処理の対象とするプログラムについて、各プログラム毎に処理の対象とした回数を記録する回数記憶手段をさらに含み、
前記制御手段は、前記第１の情報として記録媒体から読出す情報が複数のプログラムによって共通に処理の対象とする記録形式であるとき回数記憶手段に記憶されている回数の最も多いプログラムを起動するように制御することを特徴とする。
【００２７】
本発明に従えば、ユーザが記録媒体を媒体装着手段に装着すると、第１の情報として処理される情報の記録形式を処理の対象とする複数のプログラムのうち、最も処理を行った回数の多いプログラムを優先的に起動して処理を行わせることができる。
【００４４】
また本発明で、前記記録媒体は、メモリカードであり、
前記データ記憶手段は、該記録媒体に設けられることを特徴とする。
【００４５】
本発明に従えば、メモリカードを装着するだけで、記録されている情報に適合するプログラムを自動的に起動して、情報の処理を行わせることができる。
【００４８】
さらに本発明は、コンピュータを、前述のいずれかに記載の情報処理装置として機能させるためのプログラムである。
【００４９】
本発明に従えば、コンピュータに記録媒体を装着して情報を処理させる際に、記録媒体に記録されている情報の記録形式に合わせてプログラムを起動し、ユーザが処理を所望する可能性が高い情報の処理を自動的に行わせることができるようになる。
【００５０】
【発明の実施の形態】
図１は、本発明の実施の一形態である車載情報処理装置１の概略的なシステム構成を示す。車載情報処理装置１では、複数のアプリケーションプログラムが動作可能であり、各アプリケーションプログラム毎に、動作時に処理の対象とする情報の記録形式がそれぞれ予め定められる。複数の情報を記録可能な記録媒体としてのメモリカード２は、受け口３に着脱可能で、装着時に記録されている情報を読出すことが可能である。読出される情報は、受け口３からインタフェース回路（以下、「Ｉ／Ｆ」と略称する）４を介して、ＣＰＵ５に入力される。制御手段であるＣＰＵ５は、媒体装着手段である受け口３およびＩ／Ｆ４へのメモリカード２の装着に応答して、予め定める順序条件に従ってメモリカード２に記録されている第１の情報を読出し、第１の情報の記録形式を処理の対象とするアプリケーションプログラムを選択的に起動して該情報の処理を行わせる。複数のアプリケーションプログラムおよびその起動を行うプログラムは、ＲＯＭ６に予め格納されている。ＣＰＵ５が各プログラムを実行する際には、ＲＡＭ７をワークメモリとして使用する。各アプリケーションプログラムの使用履歴は、フラッシュメモリなどの記憶可能な不揮発性メモリ８に記憶される。
【００５１】
メモリカード２に記録されている情報には、動画や静止画などの画像情報が含まれ、表示装置９で画像表示することができる。動画に対しては、ＭＰＥＧやビデオＣＤと同様な記録形式や、米国Ａｐｐｌｅ社の商標ＱｕｉｃｋＴｉｍｅの形式などが用いられる。静止画に対しては、ＢＭＰ形式、ＪＰＥＧ形式、フォトＣＤ形式などが用いられる。ＲＯＭには、１または複数の記録形式の情報を再生可能なアプリケーションプログラムが格納されている。
【００５２】
本実施形態では、操作入力手段であるキーボード１０からのユーザの設定によって、メモリカード２を受け口３に挿入したときの動作モードを予め設定しておくことができる。設定可能な動作モードには自動再生が含まれ、自動再生を設定するときには、再生の順序について、予め順序条件を設定することができる。メモリカード２には、再生等、アプリケーションプログラムで処理の対象となる情報１１と、自動再生の際に順序条件に基づいて参照するデータ１２とが記録可能である。
【００５３】
車載情報処理装置１では、光ディスクなど、メモリカード２とは異なる記録媒体を着脱可能で、装着時に記録内容を読取ることができるデッキ１３も設けられている。デッキ１３にＤＶＤやＣＤ−ＲＯＭ、あるいはビデオＣＤなどを装着すれば、画像やナビゲーション用の地図データを読出して、表示装置９で画像表示することができる。メモリカード２やデッキでは、各種記録形式で記録されている音楽などのオーディオ情報も読出すことができ、オーディオ装置１４によって音響出力を得ることができる。画像と音響との両方の情報を再生する場合もある。
【００５４】
図２は、図１の実施形態でメモリカード２を受け口３に挿入するときに行われる制御手順を示す。ステップｓ１でメモリカード２が受け口３に挿入されると、Ｉ／Ｆ４はたとえば割り込みでＣＰＵ５に通知を行う。ＣＰＵ５は、ステップｓ２で、メモリカード２内に記録されている情報１１とデータ１２とを検索するデータスキャンを行う。データ１２には、各情報１１毎に、データ形式（種類）、更新日時、アクセス日時、使用回数などの記録を行う再生ログが含まれる。ステップｓ３では再生ログを読込み、新規に情報１１があれば、ログを新規に作成する。ステップｓ４では、自動再生手順を指定する設定ファイルを読込む。設定ファイルは、特定のファイル名などで区別され、書込み順、アクセス順、使用回数順など、自動再生手順を指定可能である。ステップｓ５では、設定ファイルに基づいて情報１１の再生順リストを作成し、再生対象となる情報１１の数である再生データ数を算出する。
【００５５】
次にステップｓ６では、再生済みデータ数であるパラメータＮを０に初期化する。ステップｓ７では、Ｎの値が再生データ数に等しくなって、全データの再生が完了しているか否かを判断する。完了していないと判断されるときは、ステップｓ８でＮの値を１だけ増加させる。ステップｓ７で全データの再生が完了していると判断されるときは、ステップｓ９でＮの値を１に再設定する。ステップｓ８またはステップｓ９の後では、ステップｓ１０で情報１１の再生を行う。ステップｓ１１では、１つの情報１１の再生が完了しているか否かを判断する。完了していると判断されるときは、ステップｓ１２で、データ１２のうちの再生ログに、アクセス日時、使用回数更新等の書き込みを行い、ステップｓ７に戻る。ステップｓ１１で１情報の再生が完了していないと判断されるときには、ステップｓ１３で再生停止やカード排出が行われているか否かを判断する。再生停止やカード排出が行われていないと判断されれば、ステップｓ１１に戻る。ステップｓ１３で、再生停止やカード排出が行われていると判断されるときは、ステップｓ１４で手順を終了する。
【００５６】
すなわち、本実施形態では、受け口３に複数の情報１１を記録可能なメモリカード２が着脱可能であり、装着時にはメモリカード２に記録されている情報１１を読出すことが可能である。メモリカード２には、複数のデータ形式で複数の情報を記録可能である。ＣＰＵ５は、受け口３へのメモリカード２の装着に応答して、設定ファイルで規定される予め定める順序条件に従って、メモリカード２に記録されている第１の情報を読出し、情報のデータ形式を処理の対象とするアプリケーションプログラムを選択的に起動して情報１１の処理を行わせる。メモリカード２から第２以下の情報１１を読出す際には、アプリケーションプログラムが処理の対象とするデータ形式で記録されている情報１１を、順序条件に従って順次読出させるように制御する。順序条件に従ってメモリカード２から情報を読出すためのデータ１２は、メモリカード２自体に記憶されているので、メモリカード２からの情報１１の読出しを自動的に行うことができ、第１の情報１１に従ってその処理を行うアプリケーションプログラムも選択されるので、ユーザはメモリカード２を受け口３に装着するだけで、記録されている情報１１の処理を自動的に行わせることができる。
【００５７】
図３は、図１の表示装置９の表示画面で、メモリカード２に記録されている情報１１やデータ１２を表示し、各種設定を行う状態を示す。情報一覧画面２０では、記録されている情報１１とその情報１１に関するデータ１２とが、リスト形式で一覧表示される。ユーザは、リストの表示順序を、「並び替え」を選択して順序条件を設定し、設定を変更することができる。並び替え画面２１では、順序条件として、「データ形式順」、「書き込み順」、「使用日順」、「使用回数」および「ファイル名順」を選択することができる。「使用日順」、「使用回数」および「ファイル名順」では、さらに「ＵＰ」で昇順、「ＤＯＷＮ」で降順を選択することができる。
【００５８】
情報一覧画面２０からは、「ファイル設定」を選択して、設定画面２２に移行することもできる。設定画面２２では、自動再生の実施について「する」か「しない」かの設定を行うことができる。自動再生を実施する場合は、さらに判断基準として、「書き込み」、「使用」、「回数」を選択的に設定することができる。また判断媒体として、「カード」と「デッキ」とを選択することができる。判断基準で、「使用」を選択するときには、さらに、「同一データ形式」、「同一カテゴリ、または「ランダム」を設定することができる。
【００５９】
すなわち、本実施形態の車載情報処理装置１で、メモリカード２のデータ１２には、情報１１が記録された時期についてのデータが記憶され、ＣＰＵ５は、順序条件としてメモリカード２に情報１２を記録する時期の新旧に従い、メモリカード２に最後に記録された情報１１を第１の情報として読出すように制御し、その情報のデータ形式を処理の対象とするアプリケーションプログラムを起動するように設定可能である。ユーザがメモリカード２を受け口３に装着すると、メモリカード２に記録されている情報１１が最も新しいものから順次処理の対象となるので、前回処理した情報１１から優先的に処理させることができる。
【００６０】
また実施形態では、メモリカード２のデータ１２に、情報１１が処理の対象となって使用された時期についてのデータを記憶し、ＣＰＵ５は、順序条件としてメモリカード２に記録されている情報１１が使用された時期の新旧に従い、メモリカード２で最後に使用された情報１１を第１の情報として読出すように制御し、その情報のデータ形式を処理の対象とするアプリケーションプログラムを起動するようにも設定可能である。ユーザがメモリカード２を受け口３に装着すると、メモリカード２に記録されている情報１１が最も新しく使用されたものから順次処理の対象となるので、前回使用した情報１１から優先的に処理させることができる。なお、メモリカード２に新たなデータ１２を書込み可能にするためには、メモリカード２にも不揮発性メモリ８と同等なメモリを備えておくようにすればよい。そのようなメモリの必要とする記憶容量は、情報１１として必要な記録容量に比較して小さくすることができる。
【００６１】
また本実施形態では、メモリカード２のデータ１２に、情報１１が処理の対象となって使用された回数についてのデータを記憶し、ＣＰＵ５は、順序条件としてメモリカード２に記録されている情報１１が使用された回数の多少に従い、メモリカード２で最も使用回数の多い情報１１を第１の情報として読出すように制御し、その情報のデータ形式を処理の対象とするアプリケーションプログラムを起動するようにも設定可能である。ユーザがメモリカード２を受け口３に装着すると、メモリカード２に記録されている情報１１で最も多く使用されたものから順次処理の対象となるので、使用する頻度の高い情報１１から優先的に処理させることができる。
【００６２】
また実施形態では、メモリカード２のデータ１２には、情報１１が処理の対象となって使用された回数についてのデータを記憶し、ＣＰＵ５は、順序条件としてメモリカード２に記録されている情報１１が使用された回数をデータ形式毎に集計した結果の多少に従い、メモリカード２で最も使用回数の多いデータ形式の情報１１のうち、予め定める基準で選択される情報１１を第１の情報として読出すように制御し、その情報のデータ形式を処理の対象とするアプリケーションプログラムを起動するようにも設定可能である。ユーザがメモリカード２を受け口３に装着すると、メモリカード２に記録されている情報１１で最も多く使用されたデータ形式のものから、予め定める基準に従って順次処理の対象となるので、使用する頻度の高いデータ形式の情報１１から優先的に処理させることができる。
【００６３】
その予め定める基準としては、記録された時期の新旧を用いることができる。メモリカード２に記録されている情報１１で最も多く使用されたデータ形式で記録された時期の新しいものから順次処理の対象となるので、使用する頻度の高いデータ形式で最新に記録された情報１１から優先的に処理させることができる。
【００６４】
またメモリカード２には、複数のアプリケーションプログラムが共通に処理の対象とするデータ形式の情報１１が記録され、そのデータ形式の情報１１を処理の対象とするアプリケーションプログラムについて、各アプリケーションプログラム毎に処理の対象とした回数を記録する回数記憶手段として、不揮発性メモリ８などがさらに含まれている。ＣＰＵ５は、第１の情報としてメモリカード２から読出す情報１１が複数のアプリケーションプログラムによって共通に処理の対象とするデータ形式であるとき、不揮発性メモリ８などの記憶手段に記憶されている回数の最も多いアプリケーションプログラムを起動するように制御する。ユーザがメモリカード２を受け口３に装着すると、第１の情報として処理される情報１１のデータ形式を処理の対象とする複数のアプリケーションプログラムのうち、最も処理を行った回数の多いアプリケーションプログラムを優先的に起動して処理を行わせるように設定することもできる。
【００６５】
また本実施形態で、メモリカード２のデータ１２には、情報１１が記録された時期についてのデータが記憶され、不揮発性メモリ８には複数のアプリケーションプログラムのうち、最後に情報１１を処理したアプリケーションプログラムとが記憶され、ＣＰＵ５は、第１の情報として不揮発性メモリ８に記憶されたアプリケーションプログラムが処理の対象とするデータ形式の情報１１のうち、メモリカード２に最後に記録された情報１１を読出すように設定することも可能である。第２以下の情報１１を読出す際には、同じデータ形式で記録されている情報１１を、新旧の記録順序に従って順次読出させる。ユーザがメモリカード２を受け口３に装着すると、第１の情報としてメモリカード２に最後に記録された情報１１が読出され、その情報１１のデータ形式を処理の対象とするアプリケーションプログラムが起動された後、第２以下の情報１１はそのデータ形式で新旧の記録順序に従って処理されるので、同一のアプリケーションプログラムで順次情報１１の処理を行うことができる。
【００６６】
またメモリカード２のデータ１２には、情報１１が処理の対象となって使用された時期についてのデータが記憶される。不揮発性メモリ８には、複数のアプリケーションプログラムのうち、最後に情報１１を処理したアプリケーションプログラムが記憶され、ＣＰＵ５は、第１の情報として不揮発性メモリ８に記憶されたアプリケーションプログラムが処理の対象とするデータ形式の情報１１のうち、メモリカード２で最後に使用された情報１１を読出すように制御し、第２以下の情報１１を読出す際には、同一のデータ形式で記録されている情報１１を、新旧の使用順序に従って順次読出させるように設定することも可能である。ユーザがメモリカード２を受け口３に装着すると、第１の情報としてそのメモリカード２で最後に使用された情報１１が読出され、その情報１１のデータ形式を処理の対象とするアプリケーションプログラムが起動された後、第２以下の情報１１はそのデータ形式で新旧の使用順序に従って処理されるので、同一のアプリケーションプログラムで順次情報１１の処理を行うことができる。
【００６７】
またメモリカード２のデータ１２には、情報１１が記録された時期についてのデータが記憶され、不揮発性メモリ８には複数のアプリケーションプログラムの各プログラム毎に情報１１の処理に使用した回数が記憶され、ＣＰＵ５は、第１の情報として不揮発性メモリ８に記憶された使用回数が最も多いアプリケーションプログラムが処理の対象とするデータ形式の情報１１のうち、メモリカード２に最後に記録された情報１１を読出すように制御し、第２以下の情報１１を読出す際には、そのデータ形式で記録されている情報１１を、新旧の記録順序に従って順次読出させるように設定することも可能である。ユーザがメモリカード２を受け口３に装着すると、そのメモリカード２に記録されている情報１１のデータ形式を処理の対象とするアプリケーションプログラムのうち、最も使用回数が多いアプリケーションプログラムが起動され、第１の情報としてそのデータ形式の情報１１のうちでそのメモリカード２に最後に記録された情報１１が読出され、第２以下の情報１１はそのデータ形式で新旧の記録順序に従って処理されるので、同一のアプリケーションプログラムで順次情報の処理を行うことができる。
【００６８】
またメモリカード２のデータ１２には、情報１１が処理の対象となって使用された時期についてのデータが記憶され、不揮発性メモリ８には、複数のアプリケーションプログラムの各プログラム毎に情報１１の処理に使用した回数が記憶され、ＣＰＵ５は、第１の情報として不揮発性メモリ８に記憶された使用回数が最も多いアプリケーションプログラムが処理の対象とするデータ形式の情報１１のうち、メモリカード２で最後に使用された情報１１を読出すように制御し、第２以下の情報１１を読出す際には、同一のデータ形式で記録されている情報１１を、新旧の使用順序に従って順次読出させるように設定することも可能である。ユーザがメモリカード２を受け口３に装着すると、そのメモリカード２に記録されている情報１１のデータ形式を処理の対象とするアプリケーションプログラムのうち、最も使用回数が多いアプリケーションプログラムが起動され、第１の情報としてそのデータ形式の情報のうちでそのメモリカード２から最後に使用された情報１１が読出され、第２以下の情報１１はそのデータ形式で新旧の使用順序に従って処理されるので、同一のアプリケーションプログラムで順次情報の処理を行うことができる。
【００６９】
またメモリカード２のデータ１２には、情報１１が処理の対象となって使用された時期についてのデータが記憶され、ＣＰＵ５は、第１の情報として、メモリカード２に記録されている情報１１のデータ形式のうちで、最多数の情報１１が記録されているデータ形式の情報１１から、最後に使用された情報１１を読出すように制御し、第２以下の情報１１を読出す際には、同じデータ形式で記録されている情報１１を、新旧の使用順序に従って順次読出させるように設定することも可能である。ユーザがメモリカード２を受け口３に装着すると、そのメモリカード２に記録されている情報１１のデータ形式のうちで、再多数の情報１１が記録されているデータ形式の情報１１のうちから、第１の情報としてそのメモリカード２から最後に使用された情報１１が読出され、第２以下の情報１１はそのデータ形式で新旧の使用順序に従って処理させることができる。
【００７０】
またメモリカード２のデータ１２には、情報１１が記録された時期についてのデータが記憶され、ＣＰＵ５は、第１の情報として、メモリカード２に記録されている情報１１のデータ形式の種類を検索し、その種類の中からランダムにデータ形式を決定し、そのデータ形式の情報１１のうち、最後に記録された情報１１を読出すように制御し、第２以下の情報１１を読出す際には、同一のデータ形式で記録されている情報１１を、新旧の記録順序に従って順次読出させるように設定することも可能である。ユーザがメモリカード２を受け口３に装着すると、そのメモリカード２に記録されている情報１１のデータ形式のうちで、ランダムに決定されるデータ形式の情報１１から、第１の情報としてそのメモリカード２に最後に記録された情報１１が読出され、第２以下の情報１１はそのデータ形式で新旧の記録順序に従って処理させることができる。
【００７１】
またメモリカード２のデータ１２には、情報１１が処理の対象となって使用された時期についてのデータが記憶され、ＣＰＵ５は、第１の情報として、メモリカード２に記録されている情報１１のデータ形式の種類を検索し、その種類の中からランダムにデータ形式を決定し、そのデータ形式の情報１１のうち、最後に使用された情報１１を読出すように制御し、第２以下の情報１１を読出す際には、同一のデータ形式で記録されている情報１１を、新旧の使用順序に従って順次読出させるように設定することも可能である。ユーザがメモリカード２を受け口３に装着すると、そのメモリカード２に記録されている情報１１のデータ形式のうちで、ランダムに決定されるデータ形式の情報１１から、第１の情報としてそのメモリカード２で最後に使用された情報１１が読出され、第２以下の情報１１はそのデータ形式で新旧の使用順序に従って処理させることができる。
【００７２】
さらに本発明の実施の他の形態では、自動再生を実施しないときには、メモリカード２を受け口３に装着すると、装着されたメモリカード２に記録されている情報１１のデータ形式の種類を検索し、複数のアプリケーションプログラムのうち、検索されたデータ形式の情報１１を処理の対象とするアプリケーションプログラムを候補として提示する候補提示手段としてＣＰＵ５を動作させることができる。キーボード１０は、表示装置９に表示される候補に対するユーザからの選択操作を入力する。ＣＰＵ５は、さらに、キーボード１０への入力操作に応答して、候補から選択されるアプリケーションプログラムを起動し、起動したアプリケーションプログラムによる処理の対象となるデータ形式の情報１１から、予め定める順序条件に従ってメモリカード２に記録されている情報１１を順次読出させるように制御する制御手段としても動作させることができる。ユーザは、キーボード１０を操作して、候補に対する選択を行うことができる。ＣＰＵ５は、ユーザによって候補から選択されるアプリケーションプログラムを起動し、そのアプリケーションプログラムによる処理の対象となるデータ形式の情報１１から、予め定める順序条件に従って記録媒体に記録されている情報を順次読出させるように制御するので、メモリカード２からの情報１１の読出しを行うために適切なアプリケーションプログラムの起動を簡単に行わせることができる。
【００７３】
図４は、本発明の実施のさらに他の形態で、メモリカード２に記録されている情報１１を整理するための情報一覧画面３０と、「並び替え」および「設定」を選択したときに表示される並び替え画面３１および設定画面３２とをそれぞれ示す。本実施形態では、前述の実施形態で説明した自動再生の機能のうちの少なくとも一つが実行される。本実施形態では、情報一覧画面３０にゴミ箱３３を設け、リストから選択される情報を削除する際に、完全に削除しないで、自動再生等の対象から除外するようにすることができる。設定画面３２では、ゴミ箱３３に移した情報１１を実際に削除する条件を設定する。この条件には、「カード排出」と日数とを設定することができる。日数は増減可能である。
【００７４】
以上説明した各実施形態では、記録媒体としてメモリカード２を使用している。メモリカード２は記録も可能であるので、データ１２として再生ログを記録し、自動再生時に利用している。デッキ１３などに装着して使用する少なくともそのデッキ１３では読出しのみ可能なＣＤやＤＶＤなどの記録媒体についても、各記録媒体を識別するＩＤ情報などに対応してログ情報を不揮発性メモリ８などの車載情報処理装置１内部に記憶しておき、以上で説明した各形態と同様な自動再生を行わせることができる。
【００７５】
図５は、本発明の実施のさらに他の形態として、図１に示すメモリカード２の受け口３を複数備え、各受け口３毎に情報１１を処理するアプリケーションプログラムを予め指定可能である場合の指定画面４０を示す。指定画面４０では、たとえば２つの受け口３をスロットＡおよびスロットＢとして、アプリケーションプログラムの指定を行う。指定画面４０で「設定」を選択すると、設定画面４１に移行し、各スロット毎に情報の種類を設定することができる。情報の種類としては、「音楽」、「画像」、「データ」およびそれらが複合されている「マルチ」を選択することができる。さらに一つの情報の種類に対して、複数のアプリケーションプログラムが使用可能であれば、アプリケーションプログラムの指定も同様にして行わせることができる。また、複数の受け口３に同時にメモリカード２を挿入して、一つの記録媒体として動作させるドライブ統合を設定することもできる。ユーザがメモリカード２を挿入する受け口３を選択すれば、記録されている情報１１を処理するアプリケーションプログラムの指定も可能となり、アプリケーションプログラムの指定を簡単に行うことができる。
【００７６】
さらに本発明は、車載情報処理装置１に限らず、一般的なパーソナルコンピュータなどでも、オペレーションシステムの一部、あるいは一つのアプリケーションプログラムとして、同様に実施することができる。車載情報処理装置１に適用する場合は、車両の運転者等が操作する手間を省く効果があり、パーソナルコンピュータ等では多様な情報の処理を判りやすく行うことができる効果がある。
【００７７】
【発明の効果】
以上のように本発明によれば、ユーザが記録媒体を装着すれば、予め定める順序条件に従って記録媒体に記録されている第１の情報を読出し、情報の記録形式を処理の対象とするプログラムを選択的に起動して情報の処理を行わせることができる。ユーザは、記録媒体を装着するだけで、情報の読出しと処理とを自動的に行わせることができる。記録媒体から第２以下の情報を読出す際には、起動されたプログラムが処理の対象とする記録形式で記録されている情報を、順序条件に従って順次読出させるので、同一のプログラムで情報の処理を続けることができる。
また本発明によれば、順序条件に従って各情報を、記憶媒体から読出すためのデータがデータ記憶手段に記憶されているので、記憶媒体からの情報の読出しを自動的に行うことができる。
【００７８】
また本発明によれば、ユーザが記録媒体を装着すると、記録されている時期が最も新しいものから順次処理の対象となるので、前回記録した情報から優先的に処理させることができる。
【００７９】
また本発明によれば、ユーザが記録媒体を装着すると、最も新しく使用された情報から順次処理の対象となるので、前回使用した情報から優先的に処理させることができる。
【００８０】
また本発明によれば、ユーザが記録媒体を装着すると、最も多く使用された情報から順次処理の対象となるので、使用する頻度の高い情報から優先的に処理させることができる。
【００８１】
また本発明によれば、ユーザが記録媒体を装着すると、最も多く使用された記録形式の情報を、予め定める基準に従って順次処理の対象とするので、処理する頻度の高い記録形式の情報から優先的に処理させることができる。
【００８２】
また本発明によれば、ユーザが記録媒体を装着すると、最も多く使用された記録形式の情報で、記録された時期の新しいものから順次処理の対象となるので、使用する頻度の高い記録形式で最新に記録された情報から優先的に処理させることができる。
【００８３】
また本発明によれば、ユーザが記録媒体を装着すると、第１の情報として処理される情報の記録形式を、最も処理を行った回数の多いプログラムを優先的に起動して処理を行わせることができる。
【００９２】
また本発明によれば、ユーザがメモリカードを装着すると、記録されている情報に適合するプログラムを自動的に起動して、情報の処理を行わせることができる。
【００９４】
さらに本発明によれば、ユーザがコンピュータに記録媒体を挿入すれば、記録媒体に記録されている情報の記録形式に合わせてプログラムを起動し、ユーザが処理を所望する可能性が高い情報の処理を自動的に行わせることができる。
【図面の簡単な説明】
【図１】本発明の実施の一形態である車載情報処理装置１の概略的なシステム構成を示すブロック図である。
【図２】図１の車載情報処理装置１にメモリカード２を挿入して自動再生を行う制御手順を示すフローチャートである。
【図３】図１の実施形態で、自動再生の機能を設定する画面を示す図である。
【図４】本発明の実施の他の形態で、情報の削除についての画面を示す図である。
【図５】本発明の実施のさらに他の形態で、メモリカード２の複数の受け口３ごとに機能を指定する画面を示す図である。
【符号の説明】
１  車載情報処理装置
２  メモリカード
３  受け口
５  ＣＰＵ
６  ＲＯＭ
８  不揮発性メモリ
９  表示装置
１０  キーボード
１１  情報
１２  データ
１３  デッキ
１４  オーディオ装置
２０，３０  情報一覧画面
２１，３１  並び替え画面
２２，３２，４１  設定画面
３３  ゴミ箱
４０  指定画面
【図１】
0003938685.tif 000002
【図２】
0003938685.tif 000003
【図３】
0003938685.tif 000004
【図４】
0003938685.tif 000005
【図５】
0003938685.tif 000006